(57)【要約】【課題】従来のアームスタンドは、接地用ローラーが常に机上に接触している必要があるために、平面ディスプレイを空中保持できず、アームの長さも制限されるため机上での移動量にも制限があった。【解決手段】平面ディスプレイ１を保持する板状のホルダー２、アーム４をホルダー２の上部で回動可能に連結する第１の回動部であるホルダー側ヒンジ３、平面ディスプレイ１のタッチパネル部分より上部の箇所でホルダー２を支えるアーム４、アーム４を支えるベース、ベースとアーム４を回動可能に連結する第２の回動部であるベース側ヒンジ５の機構を持つことにより机上での任意の位置に平面ディスプレイ１を固定することができる。【選択図】図７
2011043858.tif 000002
【特許請求の範囲】
【請求項１】
平面ディスプレイを保持する板状のホルダーと、
該ホルダーを支えるアームと、
該アームの一端にあり、該アームを上記ホルダーの上部で回動可能に連結する第１の回動部と、
上記アームを支えるベースと、
該アームの他端にあり、該ベースと上記アームを回動可能に連結する第２の回動部とを具備し、
上記第１の回動部は、第１の水平軸を有し該第１の水平軸を中心として回動するチルト機構であり、
上記第２の回動部は、第２の水平軸と垂直軸を有し、該第２の水平軸と該垂直軸を中心として回動するチルト・スイベル機構であり、
互いに平行な上記第１、第２の水平軸の軸方向から見て、
上記第１の回動部は、上記アームに対して上記第１の水平軸回りに上記ホルダーを回動可能であるとともに、その回動範囲の端部で、上記アームと上記ホルダーとを直線状に配置し、
上記第２の回動部は、上記ベースに対して上記第２の水平軸回りに上記アームを回動可能であるとともに、その回動範囲の端部で、上記ベースが取り付けられる対象物の平坦な上面に対して上記アームを接近させた状態で平行となるように配置することを特徴とするアームスタンド。
【請求項２】
上記第１の回動部または第２の回動部の少なくとも１つが、押圧用波打ちバネを具備する摩擦保持型回動機構であることを特徴とする請求項１に記載のアームスタンド。
【請求項３】
上記第１の回動部または第２の回動部の少なくとも１つが、押圧用波打ちバネと回動軸に巻付いた巻きバネを具備するバネ力補助付摩擦保持型回動機構であることを特徴とする請求項１に記載のアームスタンド。
【請求項４】
上記ホルダーの背面下部に第１の脚部が突設され、
上記ホルダーの背面上部に上記第１の脚部よりも背面から突出して第２の脚部が突設されていることを特徴とする請求項１乃至請求項３のいずれか１項に記載のアームスタンド。
【請求項５】
上記アームが、上記ホルダーにおいて平面ディスプレイのタッチパネル部分より上部の箇所で連結することを特徴とする請求項４に記載のアームスタンド。
【発明の詳細な説明】
【技術分野】
【０００１】
本発明は、液晶ディスプレイ等の平面ディスプレイ又はタッチパネル付平面ディスプレイに用いられるアームスタンドの構造に関するものである。
【背景技術】
【０００２】
図１０は特開平１１−１４９２５５号公報に示された従来の平面ディスプレイ用チルトスタンドの構造を示す概略図である。図において、１は平面ディスプレイ、２はディスプレイ取付面２ａ、軸穴２ｂ、屈曲部２ｃを具備して平面ディスプレイ１を取付けるホルダー、４は軸部４ａ、４ｂをもつアーム、４１と４２は中空軸、７は軸穴７ａと座面７ｂをもつベース、４３は巻きばね、２０は接地用ローラ、２１は止具、２２は軸、２３は中空軸４２が回転可能に挿通する軸穴２３ｂと軸穴２３ｂの軸線方向に入れられたスリット２３ｃとスリット２３ｃに直交するネジ穴をもつブロック２３ａとつまみ付きネジ２３ｄにより構成されるブレーキ装置、１００１、１００６、１００７、１００８はネジである。
【０００３】
以上の構成によって、平面ディスプレイ１はホルダー２のディスプレイ取付面２ａにネジ１００１によって固定され、ホルダー２の軸穴２ｂには左右のアーム４の先端の軸部４ｂが挿通され、さらに軸部４ｂは中空軸４２を両端から挟み込むように嵌挿されネジ１００８によりアーム４、４と中空軸４２は固定される。これによりホルダー２は左右のアーム４に対し軸穴２ｂを中心に回動自在となる。
【０００４】
また、軸部４ａはベース７の軸穴７ａに挿通され、軸部４ａは中空軸４１を両端から挟み込むように嵌挿されネジ１００７によりアーム４と中空軸４１は固定される。これにより左右のアーム４はベース７に対して軸穴７ａを中心に回動自在となる。さらに、中空軸４１の左右には巻きばね４３が嵌装され、この巻きばね４３の一端４３ａはベース７に係止され、長く延びる他端４３ｂはアーム４の中間位置に係止されてこのアーム４に起立方向への付勢力を与える。
【０００５】
また、ホルダー２の下端の屈曲部２ｃ上には軸２２が接地用ローラ２０が挿通して両端を止具２１によって固定されており、平面ディスプレイ１を傾斜させる際には接地用ローラ２０が机上を転動する。ブレーキ装置２３はブロック２３ａの軸穴２３ｂに前記中空軸４２が回動可能に挿通されており、つまみ付きネジ２３ｄを回してスリット２３ｃを狭めると、軸穴２３ｂの内面が中空軸４２の外周面を押圧し中空軸４２の回転に抵抗を与え、必要により回転を止めるもので、ブロック２３ａはホルダー２にネジ１００６によって固定される。平面ディスプレイ１を傾斜途中の任意角度で止める際、又は起立させる際にはこのブレーキ装置２３により中空軸４２の回転を止め、前記接地用ローラ２０が転動して角度が変わらないようにする。尚、ベース７上の座面７ｂは、平面ディスプレイ１を最大傾斜させた際に、平面ディスプレイ１の上部を指示する部分である。
【０００６】
図１１は図１０に記載した平面ディスプレイ用チルトスタンドの動作を示す側面図である。通常アーム４は図中の実線で示すような状態にあり、平面ディスプレイ１は垂直に支持されている。これより平面ディスプレイ１を傾斜させていくには平面ディスプレイ１の左右下部を持って手前に引くようにすると、接地用ローラ２０が机上を転動しつつアーム４は巻きばね４３の付勢に抗してベース７の軸穴７ａを中心に前傾し、それに伴ってホルダー２の位置が下がってくる。これにより平面ディスプレイ１は表示面を天方向に向けるように傾動していく。接地用ローラ２０が図中のＡ、Ｂ、Ｃ、Ｄ、Ｅの各位置にあるときアーム４はそれぞれａ、ｂ、ｃ、ｄ、ｅの位置まで傾倒する。また接地用ローラがＡ、Ｂ、Ｃ、Ｄのような位置にあるような傾斜途中の任意角度で止める際は、ブレーキ装置２３のつまみ付きねじ２３ｄを回して中空軸４２の回転を止める。
【先行技術文献】
【特許文献】
【０００７】
【特許文献１】特開平１１−１４９２５５号公報
【発明の概要】
【発明が解決しようとする課題】
【０００８】
従来のアームスタンドは、以上のように構成されており、接地用ローラーが常に机上に接触している必要があるために、平面ディスプレイを空中保持できず、アームの長さも制限されるため机上での移動量にも制限があった。また接地用ローラーを机上で転動させて前後方向に移動させる構成なので、ローラーの軸方向への移動が不便であり、平面ディスプレイの使用はアームスタンドを設置した机上に限られる。さらに、傾斜途中の角度維持にブレーキ機構を採用しているために、アームスタンドの位置操作が複雑である。さらにまた、アームが平面ディスプレイをタッチ操作する場合に平面ディスプレイが不安定になるといった問題点があった。
【０００９】
本発明は上記のような問題点を解消するためになされたもので、設置した机上での平面ディスプレイの位置は３次元方向で選択できる自由度を持ち、移動量に対する制限も少なく、アームの操作が容易で、設置した机上を離れての使用にも対応できる平面ディスプレイ用のアームスタンドを得ることを目的とする。
【課題を解決するための手段】
【００１０】
この発明に係るアームスタンドにおいては、平面ディスプレイを保持する板状のホルダーと、該ホルダーを支えるアームと、該アームの一端にあり、該アームを上記ホルダーの上部で回動可能に連結する第１の回動部と、上記アームを支えるベースと、該アームの他端にあり、該ベースと上記アームを回動可能に連結する第２の回動部とを具備し、上記第１の回動部は、第１の水平軸を有し該第１の水平軸を中心として回動するチルト機構であり、上記第２の回動部は、第２の水平軸と垂直軸を有し、該第２の水平軸と該垂直軸を中心として回動するチルト・スイベル機構であり、互いに平行な上記第１、第２の水平軸の軸方向から見て、上記第１の回動部は、上記アームに対して上記第１の水平軸回りに上記ホルダーを回動可能であるとともに、その回動範囲の端部で、上記アームと上記ホルダーとを直線状に配置し、上記第２の回動部は、上記ベースに対して上記第２の水平軸回りに上記アームを回動可能であるとともに、その回動範囲の端部で、上記ベースが取り付けられる対象物の平坦な上面に対して上記アームを接近させた状態で平行となるように配置するものである。
【００１１】
また、上記第１の回動部または第２の回動部の少なくとも１つが、押圧用波打ちバネを具備する摩擦保持型回動機構であるものである。
【００１２】
また、上記第１の回動部または第２の回動部の少なくとも１つが、押圧用波打ちバネと回動軸に巻付いた巻きバネを具備するバネ力補助付摩擦保持型回動機構であるものである。
【００１３】
また、上記ホルダーの背面下部に第１の脚部が突設され、上記ホルダーの背面上部に上記第１の脚部よりも背面から突出して第２の脚部が突設されているものである。
【００１４】
また、上記アームが、上記ホルダーにおいて平面ディスプレイのタッチパネル部分より上部の箇所で連結するものである。
【発明の効果】
【００１５】
この発明は、以上に説明したように構成されるので、以下に示すような効果を奏する。アームをホルダーの上部で回動可能に連結する第１の回動部と、上記アームを支えるベースと、該ベースと上記アームを回動可能に連結する第２の回動部とを具備することにより、設置した机上等での平面ディスプレイ等の固定位置を３次元方向で自由に選択できる。
【００１６】
また、第１の回動部がチルト機構、第２の回動部がチルト・スイベル機構であることにより、平面ディスプレイ等を容易に固定できる。
【００１７】
さらに、第１の回動部または第２の回動部の少なくとも１つが、押圧用波打ちバネを具備する摩擦保持型回動機構であることにより、チルト又はチルト・スイベル機構を簡易な構造で実現できる。
【００１８】
また、第１の回動部または第２の回動部の少なくとも１つが、押圧用波打ちバネと回動軸に巻付いた巻きバネを具備するバネ力補助付摩擦保持型回動機構であることにより、平面ディスプレイ等の重量を考慮してチルト又はチルト・スイベル機構を簡易な構造で実現できる。
【００１９】
さらにまた、ホルダーの背面下部に第１の脚部が突設されることにより、机上等の任意位置に固定できる。
さらに、第１の脚部よりも背面から突出して第２の脚部が上記ホルダーの背面上部に突設されることにより、平面ディスプレイ等を観察者に見易い角度を持たせて配置することができる。
【００２０】
また、上記アームが、上記ホルダーにおいて平面ディスプレイのタッチパネル部分より上部の箇所で連結することにより、ホルダーとアームで三角構造となって、タッチによる力に対して安定した形状を保てる。
【図面の簡単な説明】
【００２１】
【図１】発明の実施の形態１におけるアームスタンドを示す斜視図である。
【図２】発明の実施の形態１におけるアームスタンドの分解斜視図である。
【図３】発明の実施の形態１におけるアームスタンドを起立状態にした場合の側面図である。
【図４】発明の実施の形態１におけるアームスタンドを観測者側に任意位置で引き寄せた場合の側面図である。
【図５】発明の実施の形態１におけるアームスタンドを観測者側に任意位置で引き寄せた場合の上面図である。
【図６】発明の実施の形態１におけるアームスタンドを観測者側に任意位置で引き寄せて机１０２に立てかけた場合の側面図である。
【図７】発明の実施の形態１におけるアームスタンドを観測者に最も近い位置で引き寄せて机１０２に寝かせた場合の側面図である。
【図８】発明の実施の形態２における摩擦保持形回転機構を有するホルダー付きヒンジ部３の構成を示す図である。
【図９】発明の実施の形態３におけるバネ力補助付摩擦保持形回転機構を有するホルダー付きヒンジ部３の構成を示す図である。
【図１０】従来の平面ディスプレイ用チルトスタンドの構造を示す概略図である。
【図１１】従来の平面ディスプレイ用チルトスタンドの動作を示す側面図である。
【発明を実施するための形態】
【００２２】
実施の形態１．以下に本発明の実施の形態１を説明する。図１は本発明のアームスタンドを示す斜視図であり、１は背面にネジ穴１ｂを有する液晶ディスプレイなどの平面ディスプレイ又はタッチパネル付平面ディスプレイ、１００はアームスタンド、１０２はアームスタンド１００を固定しておく机である。
【００２３】
図２はアームスタンド１００の分解図である。図において、２は平面ディスプレイ１を保持する板状のホルダー、２ｄはホルダー２の背面下部に設けられた第１の脚部、２ｅはホルダー２の背面上部に設けられた第１の脚部２ｄより背面方向に大きい第２の脚部、２０１はホルダー２に設けられた貫通穴、２０２はホルダー２に設けられたネジ穴、３はアーム４をホルダー２の上部で回動可能に連結する第１の回動部であるホルダー側ヒンジ、３１はホルダー側ヒンジ３を構成するホルダー取付板、３２はホルダー側ヒンジ３を構成するアーム取付板、３０２はホルダー取付板３１上に設けられた貫通穴、３０３はアーム取付板３２上に設けられた貫通穴、４は平面ディスプレイ１のタッチパネル部分より上部の箇所でホルダー２を支えるアーム、４０３、４０４はアーム４上に設けられた貫通穴、７はアーム４を支えるベース、７０７は貫通穴、７０８はベース７上に設けられた雌ねじ部、５はベース７とアーム４を回動可能に連結する第２の回動部であるベース側ヒンジ、５１はベース側ヒンジ５を構成するベース取付板、５２はベース側ヒンジ５を構成するアーム取付板、５０５はベース取付板５１上に設けられた貫通穴、５０４はアーム取付板５２上に設けられた貫通穴、６はスイベル部で、６１はテーブル、６２は押圧ばね、６３は座金、６４はスイベル軸、６０５はテーブル６１上に設けられたネジ穴、６１６はテーブル６１上に設けられた切欠き付き穴、６２７は押圧ばね６２上に設けられた貫通穴、６３７は座金６３上に設けられた貫通穴、６４７はスイベル軸６４上に設けられた円柱軸、６４６はその円柱軸６４７頂上部に設けられた切欠き部、８は締付け板、８０９は締付け板８上に設けられた貫通穴、９は締付けねじ、９０８は締付けねじ９上に設けられた雄ねじ部、９０９はその雄ねじ部の頂上部に設けられたくびれ溝付円柱部、１０は止輪、１１はスペーサー板、１１６はスペーサー板１１上に向けられた貫通穴である。
【００２４】
図３はアーム４を起立状態にした時の側面図であり、観測者から離れて平面ディスプレイ１を視認できる。
【００２５】
図４は、平面ディスプレイ１を観測者側に任意位置で引き寄せた場合の側面図であり、机１０２に固定されるベース７とアーム４との結合部、及び平面ディスプレイ１を固定するホルダー２とアーム４との結合部であり第１の回動部３にチルト機構、第２の回動部にチルト＆スイベル機構を持つことにより机上での任意の位置に平面ディスプレイ１を固定することができる。図５は同じく、平面ディスプレイ１を観測者側に任意位置で引き寄せた場合の上面図であり、スイベル部６によって机上方向に自由に回動できる。
【００２６】
図６は、平面ディスプレイ１を観測者側に任意位置で引き寄せて机１０２に立てかけた場合の側面図である。本構成ではアーム４は平面ディスプレイ１のタッチパネル部分より上部の箇所でホルダー２を支えるために、力Ｆで平面ディスプレイ１のタッチ部分をタッチした場合、Ｆに対してホルダ２がアーム４と第１の脚部２ｄで支えられた机１０２から成る三角形構造で受ける構造となり、タッチしたことによって平面ディスプレイ１が不安定になることがない。
【００２７】
図７は、平面ディスプレイ１を観測者に最も近い位置で引き寄せて机１０２に寝かせた場合の側面図である。第２の脚部２ｅはホルダー２に設けられた第１の脚部２ｄより背面方向に大きいために、ケーブルやその他の構成部材の干渉を排して安定して接地できるのでタッチパネル使用時に安定すると共に、平面ディスプレイ１の表示が見やすい角度に保持することができる。
【００２８】
以上の構成の他に、例えば、平面ディスプレイ１をホルダー２に固定した状態でアーム４から着脱可能とした場合は、アームスタンド１００を設置した場所以外でも平面ディスプレイ１を使用することができ、薄い平面ディスプレイ１の構造補強を図ることができる。
【００２９】
また、第１の回動部３と第２の回動部５チルト・スイベル機構に摩擦保持形回転機構又はばね力補助付摩擦保持形回転機構などを用いれば、平面ディスプレイ１を空中で容易に保持することができる。
【００３０】
なお、コストの低減のために、ホルダー２はディスプレイ１の背面構成部材と一体としてディスプレイ１に含める構成、ホルダー側ヒンジ３は、アーム４又はホルダー２と一体とする構成、ベース側ヒンジ５をアーム４又はテーブル６１のいずれかと一体とする構成でもよい。
【００３１】
さらに、実施の形態１では、平面ディスプレイ又はタッチパネル付平面ディスプレイ１とホルダー２との固定はねじ止めの形をとっているが、ツメなどによる引掛け、又はツメなどによる引掛けとねじ止めの併用でも同様の効果が期待できる。
【００３２】
また、実施の形態１では、ホルダー２とホルダー側ヒンジ３との固定はねじ止めの形をとっているが、ツメなどによる引掛け、又はツメなどによる引掛けとねじ止めの併用でも同様の効果が期待できる。
【００３３】
さらにまた、実施の形態１では、可動部はチルト又はチルト＆スイベル機構のみであるが、スライド機構を追加することにより位置選択の自由度を広げることができる。
【００３４】
また、実施の形態１では、ホルダー側ヒンジ３とホルダー２との固定はねじ止めの形をとっているが、ツメによる引掛け、又は引掛けとねじ止めの併用でも同様の効果が期待でき、着脱操作性の向上も期待できる。
【００３５】
実施の形態２。図８は摩擦保持形回転機構を有するホルダー付きヒンジ部３の構成を示す図である。図において、シャフト３３に設けられた円柱突起３３０１は押圧用波打ちバネ３５の貫通丸穴３５０１と座金３６の貫通丸穴３６０１と取付板３１の貫通丸穴３１０１を回動可能に挿通し、円柱突起３３０１の先端部に設けられた切欠き付円柱突起３３０２は座金３６を挟んで止輪３８の切欠き付穴３８０２に圧入により固定される。その際に押圧用波打ちバネ３５は圧縮されてその反力は取付板３１に対するシャフト３３の回転に対し摩擦による制動力を与える。シャフト３３の反対側の切欠き付円柱突起３３０３は取付板３２の切欠き付穴３２０３に圧入により固定される。取付板３１は固定用貫通穴３０２を挿通するネジなどにより本発明のホルダーなどに固定され、取付板３２は固定用貫通穴３０３を挿通するネジなどにより本発明のアームなどに固定される。尚、ベース側ヒンジ５も上記構成で作成することができる。
【００３６】
実施の形態３．図９はばね力補助付摩擦保持形回転機構構成を有するホルダー付きヒンジ部３の構成を示す図である。図において、シャフト３３のもつ切欠き付円柱突起３３０２は取付板３１の切欠き付穴３１０２に圧入により固定される。シャフト３３の反対側の円柱突起３３０４は座金３６の貫通丸穴３６０４と押圧用波打ちバネ３５の貫通丸穴３５０４を回動可能に挿通し、シャフト３３と同外径のシャフト３４の貫通丸穴３４０４を回動可能に挿入する。シャフト３４の切欠き付円柱突起３４０３は取付板３２の切欠き付穴３２０３に嵌挿され、シャフト３４の貫通丸穴３４０４を挿入してきたシャフト３３の円柱突起３３０４の先端にある溝３３０６に止輪３９をかけることにより、取付板３２に対してシャフト３４は回動不能であるが、シャフト３３は回動可能な状態として構成される。また、巻内径がシャフト３３とシャフト３４の外周よりも小さいためにシャフト３３とシャフト３４を締付けながら、巻きバネ３７がシャフト３３とシャフト３４に巻付いておりその先端のキンク３７０５はシャフト３４の外周上の小穴３４０５に挿入され巻きバネ３７の位置を固定する。尚、ベース側ヒンジ５も上記構成で作成することができる。
【００３７】
以上の構成によって。押圧用波打ちバネ３５はシャフト３３とシャフト３４の回転に対し摩擦による制動力を与える。また、シャフト３４に固定される巻きバネ３７の巻き方向すなわちキンク３７０５からの折れ曲がり方向にシャフト３３が回転しようとする場合は巻きバネ３７はシャフト３３の外周への締付け力を強め、逆方向に回転しようとする場合は締付け力は弱まる。これにより回転方向により選択的に補助力を与えることができる。取付板３１は固定用貫通穴３０２を挿通するネジなどにより本発明のホルダーなどに固定され、取付板３２は固定用貫通穴３０３を挿通するネジなどにより本発明のアームなどに固定される。
【００３８】
実施の形態４．実施の形態１では、第１の脚部２ｄと第２の脚部２ｅはホルダー２の背面に設けられているが、ホルダー取付板３１または、平面ディスプレイ１の背面に設けてもよい。
【００３９】
実施の形態５．実施の形態１における第１の脚部２ｄは特別な突起ではなくてホルダー２または平面ディスプレイ１に含まれかつ机上に安定して設置できる辺であってもよい。
【符号の説明】
【００４０】
１００ アームスタンド、 ２ ホルダー、 ２ｄ 第１の脚部、 ２ｅ 第２の脚部、 ３ ホルダー側ヒンジ、 ３１ ホルダー取付板、 ３２ アーム取付板、 ４ アーム、 ５ ベース側ヒンジ、 ５１ ベース取付板、 ５２アーム取付板、 ６ スイベル部、 ６１ テーブル、 ６２ 押圧ばね、６３ 座金、 ６４ スイベル軸、 ７ ベース、 ８ 締付け板、 ９ 締付けねじ、 １０ 止輪、 １１ スペーサー板。
【図１】
2011043858.tif 000003
【図２】
2011043858.tif 000004
【図３】
2011043858.tif 000005
【図４】
2011043858.tif 000006
【図５】
2011043858.tif 000007
【図６】
2011043858.tif 000008
【図７】
2011043858.tif 000009
【図８】
2011043858.tif 000010
【図９】
2011043858.tif 000011
【図１０】
2011043858.tif 000012
【図１１】
2011043858.tif 000013